(57)【要約】      （修正有）【課題】鎖重り付き蝦蟇口形式の集塵保管網布袋と箱籠の提供。【解決手段】個人用には、本案の蝦蟇口式広大口枠つき防護袋を使用します。この袋には、広大口枠に雨除け防水布部を付け、その下部に網袋が付けてあります。この広大口枠を開くと、生ゴミ袋をラクラク入れられ、広大口枠を閉じると自動的に、生ゴミ袋は防護袋の中に納まります。なお、雨除けですが、生ゴミ袋の開閉部の上に自動的に、広大口枠の「雨除け防水布部」が乗り雨水を完全防止します。Ａ，広大口枠。Ｂ，広大口枠開閉軸。Ｃ，広大口枠止め具。Ｄ，網袋部。Ｅ，雨除け用の防水加工布。で、この部分には布の他ビニールなどを貼付する。【選択図】図２
0003133326.tif 000002
【実用新案登録請求の範囲】
【請求項１】
固定用鎖重りと円略円四角略角などの蝦蟇口式広大口枠を装着し、容易に全開閉できる構造の網や布など折り畳みできる軟質材を使用した袋又は籠と掛け網。
【請求項２】
請求項１の蝦蟇口式広大口枠部には、雨除け用の防水加工した布やビニールなどを使用し、その下部に網を装着した物と袋部全体に網を使用した構造の袋又は籠。
【請求項３】
請求項１の重しの鎖の個別輪金に、装着用の網糸などを通す隙間（空き）を付けた輪金、付けない輪金を組み合わせ、適量の重し鎖を容易に付け外しできる構造の鎖重しと蝦蟇口式広大口枠を袋、掛け網、籠の組み合わせ。
【考案の詳細な説明】
【技術分野】
【０００１】  本案は、主にカラスから生ゴミ回収時までの生ゴミ保存保護に関する物です。近年は「黄色袋」がカラス防護に有効とのことで使用されているようです。しかしその黄色防護袋もカラスが見破り、破られている物を見かけます。
本案の鎖重しは、共同集塵所用のゴミに掛けたアミの固定に有効です。
【背景技術】
【０００２】  従来の、生ゴミカラス防護策は「黄色防護袋」の使用と、共同集塵所では網が掛けられ、カラスの侵入防止に網に石や煉瓦などの重しを乗せています。
また、籠や箱形式の物にも特に固定策はとらていません。強風などで倒れゴミが散乱しています。この倒れ防止や網の固定用クサリ重しを付けた物はありません。
【考案が解決しようとする課題】
【０００３】  第一の課題は、現在の生ゴミの保存をカラスから守り清潔に処理されること。
第二は、女性が容易に使用でき、置き場所が凸凹していいる所でも置けること。
回収後の始末に手間がかからないこと。また、回収作業員の作業も容易にできること。
第三は、考案の固定クサリ重し付きゴミ保存用具や箱籠が、安価であることです。
【考案が解決するための手段】
【０００４】  上記第一の課題を解決するため、従来の「生ゴミの袋」をそのまま路上に置くのではなく、本案の雨除け付き保存網籠などに入れて、回収路上に置く方式に改めます。
また共同集塵所の場合は、掛け網固定用クサリ重しを付け、さらに必要に応じ補充用クサリ重しを使用します。
【０００５】  第二の課題は、開口部に蝦蟇口式広大口枠を付けゴミの出し入れと開閉を容易にします。また、置き場所が凸凹でも固定具がクサリですから設置面に柔軟に定着します。
回収作業も広大口枠を開けば、ゴミ袋が口枠の上に自動的に出ます。主婦の後かたずも空の網籠を折り畳んで自宅に持ち帰るだけです。
第三のコストの問題は、口枠と袋とクサリが材料ですから一般家庭の負担費として高価なものでなくて済み、また、多回数長期に渡り使用できるので、家庭でも社会環境上でも路上の汚染が防げるのですから、考案の効果を上げることができます。
【考案を実施するための最良の形態】
【０００６】  考案の実施の形態を図面により説明します。
図１，は固定用鎖と広大口枠つきの袋を一例とした説明用の見取り平面図です。
Ａ，広大口枠。Ｂ，広大口枠開閉軸。Ｃ，広大口枠止め具。
Ｄ，生ゴミ袋。Ｅ，網袋部。Ｆ，クサリ重し。
図２，は広大口枠つきの袋を一例とした説明用の見取り側面図です。
Ａ，広大口枠。Ｂ，広大口枠開閉軸。Ｃ，広大口枠止め具。Ｄ，網袋部。
Ｅ，雨除け用の防水加工布。で、この部分には布の他ビニールなどを貼付する。
図３，は防護網の鎖重し固定方法と鎖輪金の一例の説明用見取り図です。
イ，防護網の本体。ロ，装着した固定クサリ重し。で、装着した重しが効果を上げられるよう、一面だけにクサリ重しを装着した物、回り全部に装着した物も制作し使用場所に合わせて選択して使用します。
ハ，網装着構造クサリ重し。で、クサリの輪の一部に隙間が設けてあります。
この隙間に網の「糸」を差し込んで、防護網に装着します。取り付ける場所は自由に選べ、取り外しも容易に出来ます。
なお、この「網装着構造クサリ重し」は、多くの網を使用した籠箱や平ら網、それに金属製網その他の材料製網製品などや装着可能製品にも利用出来ます。
【考案の効果】
【０００７】  本考案は上述の通りであります。
【０００８】  カラスの被害やゴミの散乱、強風による路上や公園などの汚染が増加している今日、問題解決の方法の決め手が、なかなか無いのが実状でしょう。
本案の共同集塵用固定用鎖重しと、蝦蟇口式広大口枠付き開け除け付き網布袋や箱籠は、容易に誰でもできる方法で、カラスの被害やゴミの散乱防止効果が上げられます。清潔な路上整備ができ、交通安全の効果も上げることができます。
【図面の簡単な説明】
【０００９】図１，固定用鎖と広大口枠つきの袋を一例とした説明用の見取り平面図です。
図２，は広大口枠つきの袋を一例とした説明用の見取り側面図です。
図３，は防護網の鎖重し固定方法と鎖輪金の一例の説明用見取り図です。
【符号の説明】
図１，に．Ａ，Ｂ，Ｃ，Ｄ，Ｅ，Ｆ，記号使用。
図２，に．Ａ，Ｂ，Ｃ，Ｄ，Ｅ，記号使用。
図３，に．イ，ロ，ハ，記号を使用。
【図１】
0003133326.tif 000003
【図２】
0003133326.tif 000004
【図３】
0003133326.tif 000005
【手続補正書】
【提出日】平成18年7月20日(2006.7.20)
【手続補正１】
【補正対象書類名】実用新案登録請求の範囲
【補正対象項目名】全文
【補正方法】変更
【補正の内容】
【実用新案登録請求の範囲】
【請求項１】
固定用鎖重りと円略円四角略角などの蝦蟇口式大口枠に雨除けを網のゴミ入れに装着した、鎖重りと蝦蟇口式大口枠と雨除けを組み合わせた網のゴミ入れ。
【請求項２】
請求項１の鎖重しは、継ぎ目無し鎖輪金と継ぎ目の有る鎖輪金を交互に組み合わせ、鎖輪金の継ぎ目の隙間を網に掛ける掛け具とした、掛け外しできる構造の網のゴミ入れ。
【請求項３】
請求項１の固定用鎖重りを装着したゴミ掛け防護網シート。
【手続補正２】
【補正対象書類名】明細書
【補正対象項目名】０００９
【補正方法】変更
【補正の内容】
【０００９】
【図１】は、固定用鎖と広大口枠つきの袋を一例とした説明用の見取り平面図です。
【図２】は広大口枠つきの袋を一例とした説明用の見取り則面図です。
【図３】は防護網の鎖重し固定方法と鎖輪金の一例の説明用見取り図です
【符号の説明】
Ａ……広大口枠
Ｂ……広大口枠開閉軸
Ｃ……広大口枠止め具
Ｄ……生ゴミ袋（網袋部）
Ｅ……網袋部（雨除け用の防水加工布）
Ｆ……クサリ重し
【手続補正３】
【補正対象書類名】図面
【補正対象項目名】全図
【補正方法】変更
【補正の内容】
【図１】
0003133326.tif 000006
【図２】
0003133326.tif 000007
【図３】
0003133326.tif 000008
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
固定用鎖重りと円略円四角略角などの蝦蟇口式大口枠に雨除けと袋を装着した、鎖重りと蝦蟇口式大口枠と袋を組み合わせたゴミ入れ。
【請求項２】
取り付けよう切り目を付けた鎖輪金と付けてない鎖輪金を交互に組み合わせ、適量の輪金数に増減できることを特徴にした請求項１の鎖重し。
【請求項３】
蝦蟇口式大口枠範囲に雨除けを装着し袋部分は網または外部から見分られることを特徴とした請求項１の雨除けと袋。
【手続補正書】
【提出日】平成18年12月1日(2006.12.1)
【手続補正１】
【補正対象書類名】実用新案登録請求の範囲
【補正対象項目名】全文
【補正方法】変更
【補正の内容】
【実用新案登録請求の範囲】
【請求項１】
固定用鎖重りと円略円四角略角などの蝦蟇口式大口枠に雨除けと袋を装着した、鎖重りと蝦蟇口式大口枠と網袋を組み合わせたゴミ入れ。
【請求項２】
取り付けよう切り目を付けた鎖輪金と付けてない鎖輪金を交互に組み合わせ、適量の輪金数に増減でき取付取り外しが容易にできることを特徴にした請求項１に記載のゴミ入れ。
【請求項３】
蝦蟇口式大口枠の内範囲に雨除け防水布を装着し蝦蟇口式大口枠と一体としたことを特徴とした請求項１に記載のゴミ入れ。
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
円形や半円形、または角形の蝦蟇口式大口枠に、雨除け用防水布と網袋を装着し、その網袋を固定する付け外しの出来る鎖重りを組み合わせた蝦蟇口式大口枠のゴミ入れ網袋。
【請求項２】
付け外し用の切り目を付けた鎖の輪金と、切り目のない輪金を交互に組み合わせ、適量の輪金数に増減できる構造にした請求項１の鎖重り。
【請求項３】
蝦蟇口式大口枠の止め具カギは、市販の蝦蟇口と同様の簡易構造とし、その大口枠の部分に、名札入れポケットを付けた雨除防水布をつけた構造の請求項１の蝦蟇口式大口枠と雨除防水布のゴミ入れ網袋。